(57)【要約】  【課題】目の見える健常者のための文字だけでなく、目の見えない視覚障害者のための点字をも設けた表示プレートにおいて、文字の印刷間違い頻度を限りなく零に近づけることができる表示プレートの製造方法及びその製造過程で作られる中間生成体を提供する  【解決手段】外面である前面１ａに凹凸を設けて点字２を形成すると共に前記点字２に対応する文字を印刷するための目印Ｍを設けることにより中間生成体Ａ１を得る工程と、この中間生成体Ａ１に前記点字２に対応する文字を印刷する工程とを備えた製造方法を採用する。【選択図】図３
2019082566.tif 000002
【特許請求の範囲】
【請求項１】
外面に凹凸を設けて点字を形成すると共に前記点字に対応する文字を印刷するための目印を設けることにより中間生成体を得る工程と、この中間生成体に前記点字に対応する文字を印刷する工程とを備えた表示プレートの製造方法。
【請求項２】
前記目印が、前記外面にシボ加工が施された背景領域と、平坦な面形態をなす文字対応領域とを形成したものである請求項１記載の表示プレートの製造方法。
【請求項３】
前記目印が、前記外面に前記点字に対応する文字を凹凸加工により形成したものである請求項１記載の表示プレートの製造方法。
【請求項４】
前記目印が、前記外面に前記点字に対応する文字を刻印により形成したものである請求項１記載の表示プレートの製造方法。
【請求項５】
前記目印が、印刷すべき文字とほぼ同一形状をなす印刷面を備えたものである請求項３又は４記載の表示プレートの製造方法。
【請求項６】
前面に点字が形成されているとともに、前記前面を含む外面に前記点字に対応する文字を示唆する目印が設けられており、前記前面に前記点字に対応する文字を印刷するための印刷領域を有している表示プレート用の中間生成体。
【請求項７】
前面側から背面側を見通すことができる透明材製のものであって、前記前面に点字が形成されているとともに、前記前面を含む外面に前記点字に対応する文字を示唆する目印が設けられており、前記背面に前記点字に対応する文字を印刷するための印刷領域を有している表示プレート用の中間生成体。
【発明の詳細な説明】
【技術分野】
【０００１】
本発明は、各種の座席等に添着して使用される表示プレートの製造方法及びその製造過程で得られる中間生成体に関するものである。
【背景技術】
【０００２】
従来、この種の表示プレートとして、目の見える健常者のための文字だけでなく、目の見えない視覚障害者のための点字をも設けたものが知られている（例えば、特許文献１参照）。
【０００３】
かかる表示プレートにおいては、プレート基材に点字を形成する工程と前記プレート基材に文字を印刷する工程とは同時に行われないのが一般的である。そのため、例えば、プレート基材に点字が形成された中間生成体に文字を印刷する作業を健常者が行う場合、点字の内容を理解できないことに起因して間違った文字を印刷してしまうという不具合を招くことがある。
【先行技術文献】
【特許文献】
【０００４】
【特許文献１】実開昭５９−３０１７２号公報
【発明の概要】
【発明が解決しようとする課題】
【０００５】
本発明は、このような事情に着目してなされたもので、文字の印刷間違い頻度を限りなく零に近づけることができる表示プレートの製造方法及びその製造過程で作られる中間生成体を提供することを目的としている。
【課題を解決するための手段】
【０００６】
請求項１記載の発明に係る表示プレートの製造方法は、外面に凹凸を設けて点字を形成すると共に前記点字に対応する文字を印刷するための目印を設けることにより中間生成体を得る工程と、この中間生成体に前記点字に対応する文字を印刷する工程とを備えたものである。
【０００７】
請求項２記載の発明に係る表示プレートの製造方法は、請求項１記載の構成のものにおいて、前記目印が、前記外面にシボ加工が施された背景領域と、平坦な面形態をなす文字対応領域とを形成したものである。
【０００８】
請求項３記載の発明に係る表示プレートの製造方法は、請求項１記載の構成のものにおいて、前記目印が、前記外面に前記点字に対応する文字を凹凸加工により形成したものである。
【０００９】
請求項４記載の発明に係る表示プレートの製造方法は、請求項１記載の構成のものにおいて、前記目印が、前記外面に前記点字に対応する文字を刻印により形成したものである。
【００１０】
請求項５記載の発明に係る表示プレートの製造方法は、請求項３又は４記載の構成のものにおいて、前記目印が、印刷すべき文字とほぼ同一形状をなす印刷面を備えたものである。
【００１１】
請求項６記載の発明に係る表示プレート用の中間生成体は、前面に点字が形成されているとともに、前記前面を含む外面に前記点字に対応する文字を示唆する目印が設けられており、前記前面に前記点字に対応する文字を印刷するための印刷領域を有しているものである。
【００１２】
請求項７記載の発明に係る表示プレート用の中間生成体は、前面側から背面側を見通すことができる透明材製のものであって、前記前面に点字が形成されているとともに、前記前面を含む外面に前記点字に対応する文字を示唆する目印が設けられており、前記背面に前記点字に対応する文字を印刷するための印刷領域を有している。
【発明の効果】
【００１３】
本発明によれば、文字の印刷間違い頻度を限りなく零に近づけることができる表示プレートの製造方法及びその製造過程で作られる中間生成体を提供することができる。
【図面の簡単な説明】
【００１４】
【図１】本発明の一実施形態に係る表示プレートを示す正面図。
【図２】同実施形態に係る中間生成体を示す正面図。
【図３】同実施形態に係る中間生成体を示す斜視図。
【図４】図２におけるＸ−Ｘ線に沿った断面図。
【図５】同実施形態に係る表示プレートの完成状態を示す正面図。
【図６】同実施形態に係る表示プレートの完成状態を示す斜視図。
【図７】図５におけるＹ−Ｙ線に沿った断面図。
【図８】本発明の他の実施形態に係る中間生成体を示す斜視図。
【図９】本発明の他の実施形態に係る中間生成体を示す斜視図。
【図１０】本発明の他の実施形態に係る表示プレートの完成状態を示す正面図。
【図１１】同実施形態に係る表示プレートの完成状態を示す斜視図。
【図１２】図１０におけるＺ−Ｚ線に沿った断面図。
【発明を実施するための形態】
【００１５】
本発明の一実施形態を、図１〜図７を参照しつつ以下に示す。
【００１６】
この実施形態は、本発明をスタジアムの座席の背もたれ等に添着して使用される表示プレートＡ、Ｂ、Ｃに適用したものである。
【００１７】
この表示プレートＡ、Ｂ、Ｃは、プレート基材１の前面１ａに点字２が形成されているとともに、その点字２に対応した文字Ｌが印刷されたものである。図１（ａ）に示す表示プレートＡは、不透明な合成樹脂により作られたプレート基材１の前面１ａに、数字「１」を表す点字２と、それに対応する文字Ｌすなわち数字「１」とが設けられている。同様に、図１（ｂ）に示す表示プレートＢは、不透明な合成樹脂により作られたプレート基材１の前面１ａに、数字「３」を表す点字２と、それに対応する文字Ｌすなわち数字「３」とが設けられている。さらに、図１（ｃ）に示す表示プレートＣは、不透明な合成樹脂により作られたプレート基材１の前面１ａに、数字「２４」を表す点字２と、それに対応する文字Ｌすなわち数字「２４」とが設けられている。このように種々の表示内容を有する表示プレートＡ、Ｂ、Ｃを製造することができるが、ここでは、図1（ａ）に示す表示プレートＡの製造方法を、図２〜図７を参照しつつ以下に説明する。
【００１８】
この製造方法は、外面、本実施形態では前面１ａに凹凸を設けて点字２を形成すると共に前記点字２に対応する文字Ｌを印刷するための目印Ｍを設けることにより図２〜図４に示す中間生成体Ａ１を得る工程と、この中間生成体Ａ１に前記点字２に対応する文字Ｌを印刷する工程とを備えたものである。しかして前記中間生成体Ａ１は、前面１ａに点字２が形成されているとともに、前記前面１ａに前記点字２に対応する文字Ｌを示唆する目印Ｍが設けられており、前記前面１ａの一半部に前記点字２に対応する文字Ｌを印刷するための印刷領域Ｒ１を有している。
【００１９】
詳述すれば、この実施形態における前記中間生成体Ａ１は、金型を用いた射出成型手法により一挙に作られるものであり、図２〜図４に示すように、板状のプレート基材１の前面１ａに前記点字２及び目印Ｍがそれぞれ一体に形成されている。前記点字２は、複数の突起を点字ルールに基づいた配列パターンに沿って前記プレート基材１の前面１ａから一体に突設したものである。前記目印Ｍは、プレート基材１の前面１ａに、シボ加工が施された背景領域Ｒ２と、平坦な面形態をなす文字対応領域Ｒ３とを形成したものであり、前記文字対応領域Ｒ３は、印刷すべき文字Ｌすなわちこの実施形態では数字「１」の形状をなしている。前記背景領域Ｒ２は、金型の対応する面に細かい梨地状の模様を形成しておくことにより転写形成されるものであり、前記文字対応領域Ｒ３は、前記金型の対応する面を鏡面仕上げ等による平坦面にしておくことにより形成されるものである。この前記文字対応領域Ｒ３は、前記印刷領域Ｒ１内に設定されている。
【００２０】
そして、この中間生成体Ａ１の文字対応領域Ｒ３に対して、スクリーン印刷手法等により前記点字２に対応する文字Ｌすなわち数字「１」を印刷することにより図５〜図７に示すような完成品である表示プレートＡを得ることができる。
【００２１】
ここで、図２は、前記中間生成体Ａ１の正面図、図３は同中間生成体Ａ１の斜視図であり、前記背景領域Ｒ２にはパターンを施している。図４は図２におけるＸ−Ｘ線に対応する模式的な断面図である。この断面図は、わかりやすくするためにシボ加工された前記背景領域Ｒ２の加工深さ寸法を誇張して示してある。図５は、前記表示プレートＡの正面図、図６は同表示プレートＡの斜視図であり、前記背景領域Ｒ２にはパターンを施している。図７は図５におけるＹ−Ｙ線に対応する模式的な断面図である。この断面図は、わかりやすくするためにシボ加工された前記背景領域Ｒ２の加工深さ寸法及び前記文字対応領域Ｒ３に施された印刷層の厚み寸法を誇張して示してある。また、図１の（ｂ）に示す表示プレートＢ及び同図の（ｃ）に示す表示プレートＣにおいて、前記表示プレートＡと同一又は対応する部位には、同一の符号を付している。
【００２２】
以上の説明は、表示プレートＡについての具体的な説明であるが、表示プレートＢ、Ｃあるいはこれに準じた表示プレートは表示すべき文字Ｌ等の内容が異なるだけであり、同様にして製造することができるものである。
【００２３】
このような製造方法によれば、印刷する前工程で作られる中間生成体Ａ１に点字２だけでなくその点字２の内容を示す目印Ｍが設けられているため、点字２の内容を理解することができない健常者が印刷工程に携わった場合であっても、その印刷内容を間違えることがない。
【００２４】
また、この実施形態では、目印Ｍを、前面１ａに、シボ加工が施された背景領域Ｒ２と、シボ加工が施されていない文字対応領域Ｒ３とを形成したものであるので、印刷すべき位置を明確に認識することができる上に、出来上がった表示プレートＡに高級感を与えることができる。
【００２５】
なお、本発明は以上に述べた実施形態に限らない。
【００２６】
例えば、前記目印は、図８に示す表示プレートＤのように、外面（図８では前面１ａ）に、点字に対応する文字を凹凸加工により形成したものであってもよく、また、図９に示す表示プレートＥのように、外面（図９では前面１ａ）に、点字に対応する文字を刻印により形成したものであってもよい。詳述すれば、図８に示すものは、文字を印刷すべき領域たる印刷領域Ｒ１内に、文字に対応した目印たる隆起部Ｍ２を設けたもので、この隆起部Ｍ２上に印刷を施すようにしている。より具体的には、前記隆起部Ｍ２の頂面を印刷すべき文字とほぼ同一形状をなす印刷面１ｓとしている。この印刷面１ｓの全体にインクを付着させて文字を印刷する工程を経て表示プレートを完成させることにより、表示プレートとして完成した状態では目印が表示プレート上に明確には視認されず、表示プレートの美観を向上させることができる。ここで、文字に対応した隆起部に代えて、文字に対応した凹陥部を設けてもよい。換言すれば、印刷すべき文字とほぼ又は完全に同一形状をなす目印を刻印して前記凹陥部を前記印刷領域内に設けてもよい。この場合も、前記凹陥部の底面を印刷すべき文字とほぼ同一形状をなす印刷面とし、この印刷面の全体にインクを付着させて文字を印刷する工程を経て表示プレートを完成させることにより、上述した隆起部Ｍ２の頂面を印刷面１ｓとした場合と同様の効果を得ることができる。図９に示すものは、前面の文字が印刷されない部位すなわち印刷領域Ｒ１外の部位にその文字に対応する目印Ｍ３を刻印したものである。これらの目印Ｍ２、Ｍ３は、成形時に一体に形成したものが望ましい。目印を設ける位置は、前面に限らず、背面や側面であってもよい。
【００２７】
また、前記実施形態では、点字を設ける領域と文字を印刷する印刷領域とを、重ならないように隣接配置しているが、これらの領域が重なるようにしてもよい。前面に点字と文字とを重なるように配置する場合には、前記文字をインクジェット方式等によって印刷するのが望ましい。また、点字を設ける領域と前記印刷領域とを重ならないように隣接配置する場合であっても、上述した実施例のように点字を前面の左側、文字を前面の右側に配置する態様に限らず、点字と文字の配置を左右逆にしてもよく、また、点字と文字とを上下方向に並べて配置する等、他の配置態様を採用してもよい。
【００２８】
さらに、前記実施形態の表示プレートは、不透明な合成樹脂により作られたものであったが、透明な合成樹脂により製造してもよい。この場合には、前面に点字を設け、背面に文字を印刷するような態様も採用することができる。この態様の具体例としては、図１０〜図１２に示すものを挙げることができる。すなわち、図１０は、透明な合成樹脂により作られた表示プレートＦの正面図、図１１は同表示プレートの斜視図である。図１２は、図１０におけるＺ−Ｚ線に対応する模式的な断面図である。この断面図は、わかりやすくするために、印刷層の厚み寸法を誇張して示してある。この表示プレートＦには、前面１ａに点字２及び目印である刻印Ｍ４を形成しているとともに、背面１ｂに印刷領域Ｒ１を設定し、その印刷領域Ｒ１に文字Ｌを印刷している。
【００２９】
前記図８〜図１２において、上述した実施形態と同一又は対応する部位には、同一の符号を付して説明を省略する。
【００３０】
また、前記実施形態では、中間生成体が合成樹脂製のものである場合について説明したが、アルミ等の金属板製のものであってもよい。しかしながら、合成樹脂製のものであれば、点字と目印とを一体成型により同時に形成することが容易であるため、より印刷間違いが生じにくい製造方法を提供することが可能となる。
【００３１】
その他、本発明の趣旨を損ねない範囲で種々に変形してよい。
【符号の説明】
【００３２】
Ａ〜Ｃ、Ｆ…表示プレート
Ａ１、Ｄ１、Ｅ１…中間生成体
１ａ…前面
１ｂ…背面
２…点字
Ｍ…目印
Ｍ２〜Ｍ４…目印
Ｌ…文字
Ｒ２…背景領域
Ｒ３…文字対応領域
【図１】
2019082566.tif 000003
【図２】
2019082566.tif 000004
【図３】
2019082566.tif 000005
【図４】
2019082566.tif 000006
【図５】
2019082566.tif 000007
【図６】
2019082566.tif 000008
【図７】
2019082566.tif 000009
【図８】
2019082566.tif 000010
【図９】
2019082566.tif 000011
【図１０】
2019082566.tif 000012
【図１１】
2019082566.tif 000013
【図１２】
2019082566.tif 000014